【手続補正書】
【提出日】平成15年7月17日(2003.7.17)
【手続補正１】
【補正対象書類名】特許請求の範囲
【補正対象項目名】全文
【補正方法】変更
【補正の内容】
【特許請求の範囲】
【請求項１】
データ収集を管理するために必要な情報を確立する方法であって、
データ収集に関するデータを含む少なくとも１つのデータレポジトリを識別する工程と、
前記少なくとも１つのデータレポジトリ内のデータ構造を見つける工程と、
データオブジェクトと前記オブジェクトの属性を選択して、見つけられた構造から管理する工程と、
選択された属性を管理するためのアクセス許可を規定する工程を備える方法。
【請求項２】
前記少なくとも１つのデータレポジトリを識別する工程は、様々な構造をもつデータレポジトリから選択することを備える、請求項１の方法。
【請求項３】
構造を見つける前記工程は、前記少なくとも１つのデータレポジトリ内に存在するデータオブジェクトと属性を確認することを備える、請求項１の方法。
【請求項４】
アクセス許可を規定する前記工程は、前記選択された属性に関して実行できるかもしくはできないオペレーションを確認することを備える、請求項１の方法。
【請求項５】
アクセス許可を規定する前記工程は、前記選択された属性の一部に対する限定値を特定することを備える、請求項１の方法。
【請求項６】
選択されたデータオブジェクトと属性と規定されたアクセス許可のうちの少なくとも１つを変更する工程をさらに備える、請求項１の方法。
【請求項７】
次の時間に、前記少なくとも１つのデータレポジトリ内のデータ構造に関する情報を再発見する工程をさらに備える、請求項１の方法。
【請求項８】
コミュニティを管理するために必要な情報を確立する方法であって、
前記コミュニティに関するデータを含む少なくとも１つのデータレポジトリを識別する工程と、
前記少なくとも１つのデータレポジトリ内のデータ構造を見つける工程と、
データオブジェクトと前記オブジェクトの属性を選択して、見つけられた構造から管理する工程と、
選択された属性を管理するためのアクセス許可を規定する工程を備える方法。
【請求項９】
次の時間に、前記少なくとも１つのデータレポジトリ内のデータ構造に関する情報を再発見する工程をさらに備える、請求項１の方法。
【請求項１０】
情報を再発見する前記工程は、前記少なくとも１つのデータレポジトリ内に存在するデータオブジェクトと属性を確認することを備える、請求項９の方法。
【請求項１１】
管理する新しいデータオブジェクトと属性を選択する工程をさらに備える、請求項１０の方法。
【請求項１２】
コミュニティを管理するために必要な情報を管理者が確立できるようにする方法であって、
前記コミュニティに関するデータを含む少なくとも１つのデータレポジトリを識別する工程と、
前記少なくとも１つのデータレポジトリ内のデータ構造を見つける工程と、
見つけられた構造からオブジェクト内のデータオブジェクトと属性を選択するように前記管理者を促す工程と、
選択された属性を管理するためのアクセス許可を規定するように前記管理者を促す工程を備える方法。
【請求項１３】
前記構造を見つける前記工程は、前記少なくとも１つのデータレポジトリ内に存在するデータオブジェクトと属性を確認することを備える、請求項１または１２の方法。
【請求項１４】
非管理の属性を識別するように前記管理者を促す工程をさらに備える、請求項１２の方法。
【請求項１５】
選択されたデータオブジェクトと属性と規定されたアクセス許可のうちの少なくとも１つを変更するように前記管理者を促す工程をさらに備える、請求項１２の方法。
【請求項１６】
次の時間に、前記少なくとも１つのデータレポジトリ内のデータ構造に関する情報を見つけるように前記管理者を促す工程をさらに備える、請求項１２の方法。
【請求項１７】
管理ツールを支援するようにコミュニティを構成する方法であって、
前記コミュニティに関するデータを含む少なくとも１つのデータレポジトリを識別する工程と、
前記少なくとも１つのデータレポジトリ内のデータ構造を見つける工程と、
見つけられた構造から前記オブジェクト内のデータオブジェクトと属性を選択する工程と、
選択された属性を管理するためのアクセス許可を規定する工程と、
前記管理ツールを利用して、選択されたデータオブジェクトと属性と規定されたアクセス許可に基づいて前記コミュニティを管理する工程を備える方法。
【請求項１８】
少なくとも１つのデータレポジトリを識別する前記工程は、前記少なくとも１つのデータレポジトリに格納されたデータをアクセスするための接続情報を特定することを備える、請求項１７の方法。
【請求項１９】
少なくとも１つのデータレポジトリを識別する前記工程は、様々な構造をもつデータレポジトリから選択することを備える、請求項１７の方法。
【請求項２０】
管理される属性を識別する工程をさらに備える、請求項１７の方法。
【請求項２１】
アクセス許可を規定する前記工程は、選択された属性に関して実行できるかもしくはできないオペレーションを確認することを備える、請求項１２または１７の方法。
【請求項２２】
アクセス許可を規定する前記工程は、選択された属性の一部に対する限定値を特定することを備える、請求項１２または１７の方法。
【請求項２３】
選択されたデータオブジェクトと属性と規定されたアクセス許可のうちの少なくとも１つを変更する工程をさらに備える、請求項１２または１７の方法。
【請求項２４】
次の時間に、前記少なくとも１つのデータレポジトリ内のデータ構造に関する情報を再発見する工程をさらに備える、請求項１２または１７の方法。
【請求項２５】
コミュニティを管理するために必要な情報を確立するためのツールであって、
前記コミュニテに関するデータを含む少なくとも１つのデータレポジトリを識別するデータレポジトリ識別子コンポーネントと、
前記少なくとも１つのデータレポジトリ内のデータ構造を見つけるデータ構造発見コンポーネントと、
前記データ構造発見コンポーネントによって見つけられた構造に基づいて、オブジェクト内のデータオブジェクトと属性を選択するデータ選択コンポーネントと、
前記データ選択コンポーネントによって選択された属性を管理するためのアクセス許可を規定するアクセス許可コンポーネントを備えるツール。
【請求項２６】
前記データ選択コンポーネントは、管理される属性を識別する、請求項２５のツール。
【請求項２７】
選択されたデータオブジェクトと属性と規定されたアクセス許可のうちの少なくとも１つを変更する変更コンポーネントをさらに備える、請求項２５のツール。
【請求項２８】
コミュニティを管理するために必要な情報を確立するためのツールであって、
前記コミュニティに関するデータを含む少なくとも１つのデータレポジトリを識別する手段と、
前記少なくとも１つのデータレポジトリ内のデータ構造を見つける手段と、
前記見つける手段によって見つけられた前記構造に基づいて前記オブジェクト内のデータオブジェクトと属性を選択する手段と、
前記選択する手段によって選択された属性を管理するためのアクセス許可を規定する手段を備えるツール。
【請求項２９】
前記識別する手段は、様々な構造をもつデータレポジトリから選択する、請求項２８のツール。
【請求項３０】
前記見つける手段は、前記少なくとも１つのデータレポジトリ内に存在するデータオブジェクトと属性を確認する、請求項２８のツール。
【請求項３１】
前記選択する手段は非管理の属性を識別する、請求項２８のツール。
【請求項３２】
前記選択されたデータオブジェクトと属性と規定されたアクセス許可のうちの少なくとも１つを変更する手段をさらに備える、請求項２８のツール。
【請求項３３】
次の時間に、前記少なくとも１つのデータレポジトリ内のデータ構造に関する情報を再発見する手段をさらに備える、請求項２５または２８のツール。
【請求項３４】
コミュニティを管理するために必要な情報を確立するシステムであって、
複数のコミュニティ情報を備える少なくとも１つのデータレポジトリと、
前記少なくとも１つのデータレポジトリ内の情報を確立して前記コミュニティを管理するツールであって、前記コミュニティに関するデータを含む少なくとも１つのデータレポジトリを識別するデータレポジトリ識別子コンポーネントと、前記少なくとも１つのデータレポジトリ内のデータ構造を見つけるデータ構造発見コンポーネントと、前記データ構造発見コンポーネントによって見つけられた構造に基づいてオブジェクト内のデータオブジェクトと属性を選択するデータ選択コンポーネントと、前記データ選択コンポーネントによって選択された属性を管理するためのアクセス許可を規定するアクセス許可コンポーネントを備える、当該ツールと、
前記ツールを提供するように構成される第１の計算部を備えるシステム。
【請求項３５】
ネットワークを介して前記第１の計算部から提供されるツールを実行するように構成された第２の計算部をさらに備える、請求項３４のシステム。
【請求項３６】
前記データレポジトリ識別子コンポーネントは、前記少なくとも１つのデータレポジトリに記憶されたデータをアクセスするための接続情報を特定する、請求項３４のシステム。
【請求項３７】
前記データレポジトリ識別子コンポーネントは、様々な構造をもつデータレポジトリから選択する、請求項２８または３４のシステム。
【請求項３８】
前記データ構造発見コンポーネントは、前記少なくとも１つのデータレポジトリ内に存在するデータオブジェクトと属性を確認する、請求項２８または３４のシステム。
【請求項３９】
前記データ選択コンポーネントは、非管理の属性を識別する、請求項４８のシステム。
【請求項４０】
前記アクセス許可コンポーネントは、選択された属性に関して実行できるかもしくはできないオペレーションを確認する、請求項４８のシステム。
【請求項４１】
前記アクセス許可コンポーネントは、選択された属性の一部に対する限定値を特定する、請求項４８のシステム。
【請求項４２】
前記ツールは、前記選択されたデータオブジェクトと属性と規定されたアクセス許可のうちの少なくとも１つを変更する変更コンポーネントをさらに備える、請求項２８または３４のシステム。
【請求項４３】
前記ツールは、次の時間に、前記少なくとも１つのデータレポジトリ内のデータ構造に関する情報を再発見する再発見情報コンポーネントをさらに備える、請求項２８または３４のシステム。
【請求項４４】
コミュニティを管理するために必要な情報を確立するようにコンピュータシステムを命令するコンピュータインストラクションを記憶するコンピュータ読取可能媒体であって、前記コンピュータインストラクションは、
前記コミュニティに関するデータを含む少なくとも１つのデータレポジトリを識別する工程と、
前記少なくとも１つのデータレポジトリ内のデータ構造を見つける工程と、
データオブジェクトと前記オブジェクトの属性を選択して、見つけられた構造から管理する工程と、
前記選択された属性を管理するためのアクセス許可を規定する工程を備える、コンピュータ読取可能媒体。
【請求項４５】
非管理の属性を識別するインストラクションをさらに備える、請求項４４のコンピュータ読取可能媒体。
【請求項４６】
アクセス許可を規定する前記工程は、選択された属性に関して実行できるかもしくはできないオペレーションを確認するインストラクションを備える、請求項４４のコンピュータ読取可能媒体。
【請求項４７】
アクセス許可を規定する前記工程は、前記選択された属性の一部に対する限定値を特定するインストラクションを備える、請求項４４のコンピュータ読取可能媒体。
【請求項４８】
選択されたデータオブジェクトと属性と規定されたアクセス許可のうちの少なくとも１つを変更するインストラクションをさらに備える、請求項５８のコンピュータ読取可能媒体。を備える、請求項４４のコンピュータ読取可能媒体。
【請求項４９】
次の時間に、前記少なくとも１つのデータレポジトリ内のデータ構造に関する情報を再発見するインストラクションをさらに備える、請求項４４のコンピュータ読取可能媒体。
【請求項５０】
情報を再発見する前記工程は、前記少なくとも１つのデータレポジトリ内に存在するデータオブジェクトと属性を確認するインストラクションを備える、請求項４９のコンピュータ読取可能媒体。
【請求項５１】
新しいデータオブジェクトと属性を選択して管理するインストラクションをさらに備える、請求項５０のコンピュータ読取可能媒体。
【請求項５２】
管理者がコミュニティを管理するために必要な情報を確立できるようにコンピュータシステムを命令するコンピュータインストラクションを記憶するコンピュータ読取可能媒体であって、前記コンピュータインストラクションは、
前記コミュニティに関するデータを含む少なくとも１つのデータレポジトリを識別する工程と、
前記少なくとも１つのデータレポジトリ内のデータ構造を見つける工程と、
見つけられた構造からデータオブジェクトと前記オブジェクトの属性を選択するように前記管理者を促す工程と、
選択された属性を管理するためのアクセス許可を規定するように前記管理者を促す工程を備える、コンピュータ読取可能媒体。
【請求項５３】
少なくとも１つのデータレポジトリを識別する前記工程は、前記少なくとも１つのデータレポジトリに記憶されたデータをアクセスするための接続情報を特定するインストラクションを備える、請求項４４または５２のコンピュータ読取可能媒体。
【請求項５４】
構造を見つける前記工程は、前記少なくとも１つのデータレポジトリに存在するデータオブジェクトと属性を確認するインストラクションを備える、請求項４４または５２のコンピュータ読取可能媒体。
【請求項５５】
非管理の属性を識別するように前記管理者を促すインストラクションをさらに備える、請求項５２のコンピュータ読取可能媒体。
【請求項５６】
前記選択されたデータオブジェクトと属性と規定されたアクセス許可のうちの少なくとも１つを変更するように前記管理者を促すインストラクションをさらに備える、請求項５２のコンピュータ読取可能媒体。
【請求項５７】
次の時間に、前記少なくとも１つのデータレポジトリ内の前記データ構造に関する情報を再発見するように前記管理者を促すインストラクションをさらに備える、請求項５４のコンピュータ読取可能媒体。